(57)【要約】【課題】電子機器がユーザの意図に反して誤操作されて誤動作することを防止することができる電子機器及びその制御方法、制御プログラムを提供する。【解決手段】人体に装着される機器ケース１０２を有する電子機器１００において、機器ケース１０２のユーザが電子機器１００を装着したときに人体との接触を検知するように設けられる１乃至複数の接触検知センサ１１２と、特定の機能を実行する機能を有する特定機能部１４０とを有し、副演算回路部１２０は、接触検知センサ１１２により人体との接触が検知されず、機器ケース１０２が人体に装着されていないと判定されるときに、特定機能部１４０の特定の機能を実行させないように制御する。【選択図】図１
2020003508.tif 000002
【特許請求の範囲】
【請求項１】
使用者の人体に装着される形態を有する機器ケースと、
前記機器ケースが前記人体に装着されたときに前記人体との接触を検知する少なくとも一つの接触検知センサと、
特定の機能を実行する機能を有する特定機能部と、
前記接触検知センサ及び前記特定機能部を制御する演算回路部と、
を備え、
前記演算回路部は、前記接触検知センサにより前記人体との接触が検知されず、前記機器ケースが非装着状態にあると判定したときに、前記特定機能部の前記特定の機能を実行しないように制御することを特徴とする電子機器。
【請求項２】
前記演算回路部は、前記接触検知センサにより前記人体との接触が検知されて、前記機器ケースが装着状態にあると判定したときに、前記特定機能部の前記特定の機能を実行するように制御することを特徴とする請求項１に記載の電子機器。
【請求項３】
前記機器ケースの前記人体に接触しない側の面の一部に設けられ、前記使用者が操作する入力操作部を、さらに有し、
前記演算回路部は、前記接触検知センサにより前記人体との接触が検知されて前記機器ケースが装着状態にあると判定し、且つ、前記入力操作部に対して操作が行われたと判定されたときに、前記特定機能部の前記特定の機能を実行するように制御することを特徴とする請求項１に記載の電子機器。
【請求項４】
前記機器ケースの動きの状態を検出するモーションセンサを、さらに有し、
前記演算回路部は、前記接触検知センサにより前記人体との接触が検知されて前記機器ケースが装着状態にあると判定し、且つ、前記モーションセンサにより前記機器ケースに動きが生じたと判定されたときに、前記特定機能部の前記特定の機能を実行するように制御することを特徴とする請求項１に記載の電子機器。
【請求項５】
前記機器ケースの前記人体に接触しない側の面の一部に設けられ、前記使用者が操作する入力操作部を、さらに有し、
前記演算回路部は、前記機器ケースが前記装着状態にあると判定し、前記入力操作部に対して操作が行われたと判定され、前記モーションセンサにより前記機器ケースに動きが生じたと判定されたときに、前記特定機能部の前記特定の機能を実行するように制御することを特徴とする請求項４に記載の電子機器。
【請求項６】
前記演算回路部は、前記機器ケースが前記非装着状態にあると判定したときに、前記接触検知センサの検知感度を、前記接触検知センサにより前記人体との接触が検知されて前記機器ケースが装着状態にあると判定したときの前記接触検知センサの検知感度より低く設定することを特徴とする請求項１乃至５のいずれかに記載の電子機器。
【請求項７】
前記接触検知センサを複数有し、
前記演算回路部は、
前記複数の前記接触検知センサの各々を順次スキャンし、
前記機器ケースが前記非装着状態あると判定したときに、前記複数の接触検知センサをスキャンする動作の周期を、前記接触検知センサにより前記人体との接触が検知されて前記機器ケースが装着状態にあると判定したときに前記複数の接触検知センサをスキャンする動作の周期より長く設定することを特徴とする請求項１乃至６のいずれかに記載の電子機器。
【請求項８】
前記特定機能部は、前記特定の機能として、前記使用者の活動量の計測、前記使用者の移動距離の計測、前記使用者の移動速度の計測、前記使用者の心拍数の計測、前記使用者の脈拍数の計測、前記使用者に対する情報の表示、及び、外部の機器との通信、の少なくとも何れかを実行することを特徴とする請求項１乃至７のいずれかに記載の電子機器。
【請求項９】
電子機器の制御方法であって、
前記電子機器は、使用者の人体に装着される形態を有する機器ケースと、前記機器ケースが前記人体に装着されたときに前記人体との接触を検知する少なくとも一つの接触検知センサと、特定の機能を実行する機能を有する特定機能部と、を備え、
前記接触検知センサによる前記人体との接触の有無を検知し、
前記接触検知センサにより前記人体との接触が検知されないとき、前記機器ケースが非装着状態にあると判定し、
前記機器ケースが非装着状態にあると判定したとき、前記特定機能部の前記特定の機能を実行しないように制御する、
ことを特徴とする電子機器の制御方法。
【請求項１０】
電子機器の制御プログラムであって、
前記電子機器は、使用者の人体に装着される形態を有する機器ケースと、前記機器ケースが前記人体に装着されたときに前記人体との接触を検知する少なくとも一つの接触検知センサと、特定の機能を実行する機能を有する特定機能部と、を備え、
前記接触検知センサにより前記人体との接触の有無を検知させ、
前記接触検知センサにより前記人体との接触が検知されないとき、前記機器ケースが非装着状態にあると判定させ、
前記機器ケースが非装着状態にあると判定されたとき、前記特定機能部の前記特定の機能を実行しないように制御させる、
ことを特徴とする電子機器の制御プログラム。
【発明の詳細な説明】
【技術分野】
【０００１】
本発明は、ユーザが人体に装着、又は、携帯する形態を有する電子機器、及び、当該電子機器に適用可能な制御方法、並びに、制御プログラムに関する。
【背景技術】
【０００２】
近年、スマートフォン（高機能携帯電話機）やタブレット端末等の携帯型の電子機器や、リスト型端末をはじめとする各種のウェアラブル機器等の人体装着型の電子機器の普及が著しい。このような電子機器においては、機器の起動や各種機能の実行、選択等の操作のために、押しボタンやタッチパネル等の各種の操作スイッチが機器の筐体の外面に設けられている。例えば特許文献１には、人体に装着するリング状のウェアラブル装置において、筐体の外周面に、ユーザの活動状況を表示するディスプレイに加え、装置の各種の機能を操作するためのボタンやスクロールホイル、タッチ入力装置等を備えた構成が開示されている。
【０００３】
なお、近年の携帯型や装着型の電子機器においては、機器の小型軽量化や操作の簡素化、デザイン性等を考慮して、例えば押しボタンやスライドスイッチ等の機構式のスイッチの使用を極力排除して、ディスプレイの前面等にタッチパネルやタッチセンサ等による非機構式のスイッチを備えた構成を有するものが増えている。
【先行技術文献】
【特許文献】
【０００４】
【特許文献１】特表２０１３−５４４１４０号公報
【発明の概要】
【発明が解決しようとする課題】
【０００５】
上述したような電子機器において、筐体の表面から機構式のスイッチが突出して設けられていたり、物理的に露出して設けられていたりする場合には、ユーザが電子機器を使用していない状態であっても、当該スイッチが電子機器の周囲の物品等に接触したり、押圧されたりすることによりスイッチが誤操作されてしまい、電子機器がユーザの意図に反した誤動作をしてしまう場合がある。
【０００６】
また、電子機器が非機構式のスイッチとして、例えば静電容量式のタッチパネルやタッチセンサ等を備えている場合にも、机の上に置いたり、バッグ等に収納して移動したりする際に、金属製や導電性の物品に近接したり、接触したりすることによりスイッチが電気的にオン状態になり、ユーザの意図に反した誤動作をしてしまう場合があった。ここで、携帯型や装着型の電子機器においては、小型軽量でありながら駆動時間が長いことが求められるため、上記のような誤動作による電力の無駄な浪費を極力抑制することが求められる。
【０００７】
そこで、本発明は、上述した問題点に鑑み、電子機器がユーザの意図に反して誤操作されて誤動作することを防止することができる電子機器及びその制御方法、制御プログラムを提供することを目的とする。
【課題を解決するための手段】
【０００８】
本発明に係る電子機器は、
使用者の人体に装着される形態を有する機器ケースと、
前記機器ケースが前記人体に装着されたときに前記人体との接触を検知する少なくとも一つの接触検知センサと、
特定の機能を実行する機能を有する特定機能部と、
前記接触検知センサ及び前記特定機能部を制御する演算回路部と、
を備え、
前記演算回路部は、前記接触検知センサにより前記人体との接触が検知されず、前記機器ケースが非装着状態にあると判定したときに、前記特定機能部の前記特定の機能を実行しないように制御することを特徴とする。
【０００９】
本発明は、
電子機器の制御方法であって、
前記電子機器は、使用者の人体に装着される形態を有する機器ケースと、前記機器ケースが前記人体に装着されたときに前記人体との接触を検知する少なくとも一つの接触検知センサと、特定の機能を実行する機能を有する特定機能部と、を備え、
前記接触検知センサによる前記人体との接触の有無を検知し、
前記接触検知センサにより前記人体との接触が検知されないとき、前記機器ケースが非装着状態にあると判定し、
前記機器ケースが非装着状態にあると判定したとき、前記特定機能部の前記特定の機能を実行しないように制御する、
ことを特徴とする。
【００１０】
本発明は、
電子機器の制御プログラムであって、
前記電子機器は、使用者の人体に装着される形態を有する機器ケースと、前記機器ケースが前記人体に装着されたときに前記人体との接触を検知する少なくとも一つの接触検知センサと、特定の機能を実行する機能を有する特定機能部と、を備え、
前記接触検知センサにより前記人体との接触の有無を検知させ、
前記接触検知センサにより前記人体との接触が検知されないとき、前記機器ケースが非装着状態にあると判定させ、
前記機器ケースが非装着状態にあると判定されたとき、前記特定機能部の前記特定の機能を実行しないように制御させる、
ことを特徴とする。
【発明の効果】
【００１１】
本発明によれば、電子機器がユーザの意図に反して誤操作されて誤動作することを防止することができる。
【図面の簡単な説明】
【００１２】
【図１】本発明に係る電子機器の第１の実施形態を示す概略構成図である。
【図２】第１の実施形態に係る電子機器に適用される接触検知センサの配置例を示す概略図である。
【図３】第１の実施形態に係る電子機器の機能構成の一例を示す概略ブロック図である。
【図４】第１の施形態に係る電子機器における制御方法の一例を示すフローチャートである。
【図５】第１の実施形態に係る電子機器における作用効果の優位性を説明するための説明図である。
【図６】本発明に係る電子機器の第２の実施形態を示す概略構成図である。
【図７】第２の実施形態に係る電子機器の機能構成の一例を示す概略ブロック図である。
【図８】第２の実施形態に係る電子機器に適用される基板構造の一例を示す概略図である。
【図９】第２の実施形態に係る電子機器における制御方法の一例を示すフローチャートである。
【図１０】本発明に係る電子機器の第３の実施形態の機能構成の一例を示す概略ブロック図である。
【図１１】第３の実施形態に係る電子機器における制御方法の一例を示すフローチャート（その１）である。
【図１２】第３の実施形態に係る電子機器における制御方法の一例を示すフローチャート（その２）である。
【発明を実施するための形態】
【００１３】
以下、本発明に係る電子機器及びその制御方法、制御プログラムについて、実施形態を示して詳しく説明する。ここでは、説明を簡明化するために、電子機器の一例としてリストバンド型や腕時計型の外観形状を有するウェアラブル機器を示して説明する。
＜第１の実施形態＞
（電子機器）
図１は、本発明に係る電子機器の第１の実施形態を示す概略構成図である。ここで、図１（ａ）、（ｂ）は、本実施形態に係る電子機器の外観構成の一例を示す概略斜視図であり、図１（ｃ）は、本実施形態に係る電子機器の、人体への装着例を示す概略図である。図２は、本実施形態に係る電子機器に適用される接触検知センサの配置例を示す概略図である。ここで、図２（ａ）、（ｃ）は、接触検知センサの配置を説明するために、便宜的に、機器ケースを形成する部材を平面的に延ばして、内周面側から見た概略図であり、図２（ｂ）、（ｄ）は、電子機器を側面方向（図１（ａ）中、ＩＡ方向）から見た概略図である。また、図３は、本実施形態に係る電子機器の機能構成の一例を示す概略ブロック図である。なお、本実施形態においては、図示を明瞭にするために、接触検知センサに便宜的にハッチングを施して示す。
【００１４】
第１の実施形態に係る電子機器１００は、例えば図１（ａ）、（ｂ）に示すように、略帯状の部材からなる機器ケース１０２が長手方向（延在方向）に沿って湾曲し、図中ＩＡ方向から矢視した側面形状が円環状又は円弧状に形成された、リストバンド型や腕時計型の外観形状を有している。また、機器ケース１０２の長手方向の両端部は、例えば図１（ａ）に示すように、互いに巻き込むように変形して重なり合ったり、例えば図１（ｂ）に示すように、互いに近接したり、あるいは、図示を省略したバックルやアタッチメント等により接続されたりするように形成されている。このような構造により、機器ケース１０２の内周側の空間（装着空間）１０４が円柱状に確定されて、図１（ｃ）に示すように、機器ケース１０２の内周面（装着空間１０４側の面）がユーザの手首ＵＳｈや腕等に少なくとも一部が接触又は密着した状態で電子機器１００が装着される。ここで、機器ケース１０２を形成する部材は、ユーザが電子機器１００を手首ＵＳｈ等に装着する際、及び、装着して使用する際に、ある程度の変形を許容しつつ、装着空間１０４の形状を保持できる程度の剛性や強度を備えるとともに、人体（肌）に接触しても違和感を持たない程度の質感を有していることが好ましい。
【００１５】
また、本実施形態に係る電子機器１００は、例えば図１（ａ）、（ｂ）及び図２（ａ）、（ｃ）に示すように、機器ケース１０２の内周面に、１乃至複数の接触検知センサ１１２が、例えば露出して配置されている。具体的には、接触検知センサ１１２は、例えば図２（ａ）に示すように、機器ケース１０２の内周面となる帯状の部材の一面側に、唯一つのみ配置されている。この場合、図１（ｃ）に示したように、ユーザが電子機器１００を手首ＵＳｈ等に装着した状態で、接触検知センサ１１２は、図２（ｂ）に示すように、人体（手首ＵＳｈ）に必ず接触、又は、密着する位置に配置される。また、接触検知センサ１１２は、例えば図２（ｃ）に示すように、機器ケース１０２の内周面となる帯状の部材の一面側に、所定の間隔で複数個（図では４個）配置されている。この場合、ユーザが電子機器１００を手首ＵＳｈ等に装着した状態で、図２（ｄ）に示すように、少なくとも、複数の接触検知センサ１１２のうちのいずれか一つ、又は、所定の個数が人体（手首ＵＳｈ）に必ず接触、又は、密着する位置に配置される。このように、本実施形態に適用される接触検知センサ１１２は、ユーザが電子機器１００に対して特別な操作をすることなく、電子機器１００を人体の所定の部位に装着することにより、必然的に人体に直接接触する位置又は領域に配置される。
【００１６】
このような接触検知センサ１１２は、例えばタッチパネルとして多用されている静電容量方式や抵抗膜方式のタッチセンサを良好に適用することができる。また、接触検知センサ１１２は、例えば圧電素子や、押しボタン等の機構式のスイッチ等を適用するものであってもよい。また、後述するように、電子機器１００が特定機能部１４０として例えば心拍数の計測処理を行うための心拍センサを備えている場合には、心拍センサに適用される一対の検出用電極を、接触検知センサ１１２として適用するものであってもよいし、例えば脈拍数の計測処理を行うための脈拍センサを備えている場合には、脈拍センサに適用される光源部（発光素子）と受光部（受光素子）の組み合わせを、接触検知センサ１１２として適用するものであってもよい。なお、機器ケース１０２に配置される接触検知センサ１１２の個数や形状、大きさについては特に限定するものではなく、任意に設定するものであってもよい。
【００１７】
本実施形態に係る電子機器１００は、例えば図３に示すように、大別して、接触検知部１１０と、副演算回路部（第１の演算回路部）１２０と、主演算回路部（演算回路部、第２の演算回路部）１３０と、特定機能部１４０と、電源供給部１５０と、を有している。ここで、副演算回路部１２０は、本発明に係る第１の演算回路部に対応し、主演算回路部１３０は、本発明に係る演算回路部、又は、第２の演算回路部に対応する。
【００１８】
接触検知部１１０は、上述した接触検知センサ１１２を１乃至複数個備え、ユーザが電子機器１００を手首ＵＳｈ等に装着した際の、人体との接触状態を検知して、その接触検知信号を副演算回路部１２０に出力する。
【００１９】
副演算回路部１２０は、ＣＰＵ（中央演算処理装置）やＭＰＵ（マイクロプロセッサ）等の演算処理装置であって、所定のプログラムを実行することにより、接触検知部１１０におけるセンシング動作を制御するとともに、主演算回路部１３０との間で各種の信号を送受信することにより主演算回路部１３０における動作を制御する。特に、副演算回路部１２０は、接触検知部１１０から出力される接触検知信号に基づいて、主演算回路部１３０に所定の通知信号（装着通知信号）を送信することにより、主演算回路部１３０を休止状態から起動して駆動状態にするように制御したり、駆動状態から休止状態にするように制御したりする。ここで、副演算回路部１２０は、少なくとも、接触検知部１１０からの接触検知信号を受けて、主演算回路部１３０に通知信号を送信する機能を実行することができる程度の処理能力を有していればよく、比較的処理能力が低い（ローパフォーマンス）演算処理装置を適用することができる。そして、このような演算処理装置は、一般に低い動作周波数で各種の処理動作を実行するため消費電力が比較的小さなもの（ロ―パワー）となる。
【００２０】
主演算回路部１３０は、上述した副演算回路部１２０と同様に、ＣＰＵやＭＰＵ等の演算装置であって、所定のプログラムを実行することにより、電子機器１００全体の動作を制御する。特に、主演算回路部１３０は、副演算回路部１２０から送信される通知信号に基づいて制御されて、休止状態から起動されて駆動状態にされたり、駆動状態から休止状態にされたりする。また、主演算回路部１３０は、上記の通知信号に基づいて、特定機能部１４０における特定の機能の実行を制御するものであってもよい。ここで、主演算回路部１３０は、少なくとも、特定機能部１４０における比較的高度な機能（例えば、活動量の計測処理、移動距離の計測処理、心拍の計測処理等）を実行制御することができる程度の処理能力を有している必要があり、比較的処理能力が高い（ハイパフォーマンス）演算処理装置が適用される。そして、このような演算処理装置は、一般に高い動作周波数で各種の処理動作を実行するため消費電力が比較的大きなもの（ハイパワー）となる
。
【００２１】
特定機能部１４０は、上述した主演算回路部１３０からの指示に従って、特定の機能を実行する。具体的には、特定機能部１４０は例えばユーザの活動量や移動距離、移動速度、心拍数、脈拍数等を計測したり、ユーザに提供する任意の情報を表示したり、電子機器１００の外部の機器と通信をしたりする機能を有している。
【００２２】
電源供給部１５０は、電子機器１００内部の各構成に駆動用の電力を供給する。電源供給部１５０は、例えば市販のボタン型電池等の一次電池や、リチウムイオン電池等の二次電池、あるいは、振動や光、熱、電磁波等のエネルギーにより発電する環境発電技術による電源等を、単独で、あるいは、併用して適用することができる。
【００２３】
なお、本実施形態に係る電子機器１００は、上記の各構成に加え、各種の情報の設定や特定機能部１４０を操作するための入力操作部や、副演算回路部１２０や主演算回路部１３０、接触検知部１１０、特定機能部１４０において生成（算出）されたり、取得されたりしたデータ等を保存するためのメモリ部等を備えているものであってもよい。
【００２４】
（電子機器の制御方法）
次に、本実施形態に係る電子機器の制御方法について、図面を参照して説明する。ここでは、ユーザが電子機器を装着する際と、取り外した際の各制御方法について個別に説明する。ここで、以下に示す一連の処理動作は、上述した主演算回路部１３０及び副演算回路部１２０において所定の制御プログラムを実行することにより実現される。
【００２５】
図４は、本実施形態に係る電子機器における制御方法の一例を示すフローチャートである。また、図５は、本実施形態に係る電子機器における作用効果の優位性を説明するための説明図である。
【００２６】
まず、本実施形態においては、電子機器１００の電源供給部１５０に一次電池や二次電池等のバッテリ電源が取り付けられたり、電子機器１００に内蔵されたバッテリ電源が充電されたりすると、副演算回路部１２０が起動して、接触検知部１１０において接触検知センサ１１２によるスキャン動作を開始するとともに、主演算回路部１３０が休止（スリープ）状態等の低消費電力状態で動作し、特定機能部１４０において特定の機能が実行されない状態にされる（以下、この状態を「初期状態」と記す）。この初期状態においては、実質的に電源供給部１５０から主演算回路部１３０への駆動電力の供給が最小レベルに抑制されるとともに、副演算回路部１２０には所定の駆動電力が供給されるので、電子機器１００は、低消費電力モードで動作することになる。ここで、接触検知センサ１１２によるスキャン動作は、電子機器１００の人体への装着又は非装着の状態に関わらず、例えば１〜２秒程度の間隔で継続して実行される。
【００２７】
ユーザが電子機器１００を装着する際の制御方法は、図４（ａ）に示すように、まず、上述したように初期状態に設定された電子機器１００が人体に非装着の状態においては、接触検知センサ１１２により所定の周期でスキャン動作が継続して実行されている（ステップＳ１０２）。そして、副演算回路部１２０は接触検知部１１０から送信される接触検知信号に基づいて、接触検知センサ１１２が人体に接触したか否かを判定する（ステップＳ１０４）。接触検知部１１０から接触検知信号が送信された場合（ステップＳ１０４のＹｅｓ）には、副演算回路部１２０は、接触検知センサ１１２が人体に接触して電子機器１００が人体に装着された状態（装着状態）にあるものと判定し、主演算回路部１３０に対して装着通知信号を送信する。一方、接触検知部１１０から接触検知信号が送信されない場合（ステップＳ１０４のＮｏ）には、副演算回路部１２０は接触検知センサ１１２が人体に接触していない状態（非装着状態）にあるものと判定し、ステップＳ１０２に戻って、接触検知センサ１１２におけるスキャン動作を継続する。
【００２８】
ここで、電子機器１００が人体に装着されたか否かの判定は、周期的にスキャン動作を行う接触検知センサ１１２が人体との接触状態を継続して検知した回数や、検知した接触検知センサ１１２の数に基づいて判定される。例えば、接触検知センサ１１２により継続して複数回検知した場合や、複数の接触検知センサ１１２が同時に又は略同時期に一定時間以上検知した場合には、副演算回路部１２０は、電子機器１００が人体に装着された装着状態にあると判定する。これにより、ユーザや周囲の物品が短期的又は部分的に接触検知センサ１１２に接触しただけの状態を装着状態と誤判定することを防止することができる。
【００２９】
次いで、主演算回路部１３０は、副演算回路部１２０から装着通知信号を受信することにより、休止（スリープ）状態等の低消費電力状態から復起、又は、起動されて、特定機能部１４０における特定の機能（例えば、活動量や移動距離、心拍等の計測処理）を実行する（ステップＳ１０６）。ここで、この主演算回路部１３０の復起、又は、起動に対応するように、電源供給部１５０から主演算回路部１３０に対して通常の駆動電力が供給される。
【００３０】
次に、ユーザが電子機器１００を取り外した際の制御方法は、図４（ｂ）に示すように、まず、電子機器１００が人体に装着された状態においては、上述したように、接触検知センサ１１２によるスキャン動作が継続して実行され（ステップＳ１２２）、人体との接触を示す接触検知信号が周期的に副演算回路部１２０に送信されている。そして、副演算回路部１２０はこの接触検知信号に基づいて、接触検知センサ１１２が人体に接触した状態にあるか否かを判定する（ステップＳ１２４）。接触検知部１１０から接触検知信号が送信されなくなった場合（ステップＳ１２４のＮｏ）には、副演算回路部１２０は、接触検知センサ１１２が人体に接触しておらず電子機器１００が人体から取り外された状態（非装着状態）にあるものと判定し、主演算回路部１３０に対して非装着通知信号を送信する。一方、接触検知部１１０から接触検知信号が送信されている場合（ステップＳ１２４のＹｅｓ）には、副演算回路部１２０は接触検知センサ１１２が人体に接触した状態（装着状態）にあるものと判定し、ステップＳ１２２に戻って、接触検知センサ１１２におけるスキャン動作を継続する。
【００３１】
ここで、電子機器１００が人体から取り外されたか否かの判定は、上述した装着判定処置と同様に、周期的にスキャン動作を行う接触検知センサ１１２が人体との接触状態を継続して検知しなくなった回数や、検知しなくなった接触検知センサ１１２の数に基づいて判定される。例えば、接触検知センサ１１２により継続して複数回検知しなくなった場合や、複数の接触検知センサ１１２が同時に又は略同時期に一定時間以上検知しなくなった場合には、副演算回路部１２０は、電子機器１００が人体から取り外された非装着状態にあると判定する。これにより、ユーザが電子機器１００を装着した状態で、激しい動作や特殊な姿勢等をすることにより瞬間的に非接触になった状態を非装着状態と誤判定することを防止することができる。
【００３２】
次いで、主演算回路部１３０は、副演算回路部１２０から非装着通知信号を受信することにより、特定機能部１４０において特定の機能を実行させる通常の駆動状態から休止（スリープ）状態等の低消費電力状態に移行する（ステップＳ１２６）。また、この主演算回路部１３０の休止状態への移行に対応するように、電源供給部１５０から主演算回路部１３０への駆動電力が最小レベルに抑制される。これにより、電子機器１００は、上述した初期状態と同様に、低消費電力モードで動作することになる。
【００３３】
このように、本実施形態においては、ユーザが電子機器１００を装着する際に、人体と接触する機器ケース１０２の表面（内周面）に１乃至複数の接触検知センサ１１２を設け、人体との接触状態を検知した場合にのみ、電子機器１００を起動させることができ、一方、人体に対して非接触状態においては、電子機器１００を低消費電力状態で動作させることができる。具体的には、背景技術に記載したように、機器ケースの外面に露出するようにタッチパネルや機構式のスイッチ等が設けられた電子機器においては、例えば図５（ａ）、（ｂ）に示すように、バッグ２１０の中に収納したり、机２２０の上に載置したりした際に、周辺の物品との接触や近接によりスイッチがオン動作して電子機器の誤動作や誤起動を生じる場合がある。すなわち、静電容量式のタッチパネルを備えた電子機器においては、図５（ａ）に示すように、同じバッグ２１０内に収納されたスマートフォン等の電界を発生する他の機器等や、図５（ｂ）に示すように、金属製や導電性の机等に近接したり接触したりすると、これらの物品とタッチパネルとの間に静電容量が生じてスイッチが電気的にオン状態になり、電子機器の誤動作や誤起動を生じる場合がある。また、抵抗膜式のタッチパネルや機構式のスイッチを備えた電子機器においても、図５（ａ）、（ｂ）に示すように、同じバッグ２１０内に収納された他の物品や机等の表面に接触したり当接したりすると、スイッチが物理的に押圧されてオン状態になり、電子機器の誤動作や誤起動を生じる場合がある。
【００３４】
これに対して、本実施形態においては、電子機器１００を人体に装着した場合に、必然的に人体が接触する位置に接触検知センサ１１２が配置されている。したがって、機器ケースの外面に露出して設けられた起動制御用のタッチパネルや機構式のスイッチに替えて、本実施形態に係る接触検知センサ１１２による接触検知信号を起動制御に用いることにより、周辺の物品との接触等によりユーザの意図に反してスイッチが誤操作されることがなく、電子機器１００の誤動作や誤起動の発生を防止して、電力の浪費を抑制することができる。
【００３５】
＜変形例＞
上述した実施形態においては、接触検知部１１０に設けられる接触検知センサ１１２の検知感度については、特に限定しなかったが、電子機器１００の装着、非装着の状態に応じて、検知感度を変更する（又は切り替える）ようにしてもよい。すなわち、接触検知センサ１１２として静電容量式のタッチパネルを適用した場合、図５（ａ）、（ｂ）に示したように、周辺に電界を生じる物品や、金属製や導電性の物品が存在すると、上記の背景技術の構成と同様に、接触検知センサ１１２との間に静電容量が生じてスイッチが電気的にオン状態になり、ユーザの意図に反して電子機器の誤動作や誤起動を生じる場合が考えられる。本実施形態においては、接触検知センサ１１２を機器ケース１０２の内面側に設け、かつ、その配置や形状を工夫することにより、ユーザの意図に反する誤動作や誤起動の発生を抑制することができる。さらに、本実施形態においては、変形例として、接触検知部１１０における接触検知センサ１１２の検知感度（スレッシュホールド）を、装着時に比較して非装着時には低く設定することにより、電子機器の誤動作や誤起動をより確実に防止することができる。具体的には、一般に静電容量式のタッチパネルにおける接触検知は、人体等の間に静電容量を生じる電極に生じる微小な電圧を差動増幅器により増幅して検知電圧として用いる回路構成（例えば、直列容量分圧比例方式に適用される検知回路）が多様されているが、変形例においては、非装着状態における差動増幅器の増幅率を、装着時よりも低く設定して検知感度を下げる。これにより、周辺物品の影響を受けにくくなり、ユーザの意図に反する誤動作や誤起動の発生を抑制することができる。
【００３６】
＜第２の実施形態＞
次に、本発明に係る電子機器の第２の実施形態について説明する。ここで、上述した第１の実施形態と同等の構成及び処理動作については説明を簡略化する。
【００３７】
上述した第１の実施形態においては、ユーザが電子機器１００を装着する際に、必然的に接触する位置に１乃至複数の接触検知センサ１１２を配置して、人体との接触状態を検知した場合にのみ、電子機器１００を起動させる場合について説明した。第２の実施形態においては、機器ケース１０２の内周面に設けられた１乃至複数の接触検知センサ１１２による接触状態の検知に加え、外周面に設けられたタッチパネルや機構式スイッチ等に対するユーザの意図的な操作に基づいて、電子機器１００を起動させることを特徴としている。
【００３８】
（電子機器）
図６は、本発明に係る電子機器の第２の実施形態を示す概略構成図である。また、図７は、本実施形態に係る電子機器の機能構成の一例を示す概略ブロック図である。なお、本実施形態（後述する図８を含む）においては、図示を明瞭にするために、接触検知センサ及びタッチパネルに便宜的にハッチングを施して示す。
【００３９】
第２の実施形態に係る電子機器１００は、例えば図６に示すように、円環状又は円弧状に形成された機器ケース１０２の内周面に１乃至複数の接触検知センサ１１２が設けられ、さらに、機器ケース１０２の外周面に、タッチパネル１８２が前面（視野側）に配置された表示パネル１７２、及び、押しボタン等の機構式のスイッチ１８４が設けられている。
【００４０】
本実施形態に係る電子機器１００は、例えば図７に示すように、大別して、上述した第１の実施形態に示した接触検知部１１０と、副演算回路部１２０と、主演算回路部１３０と、電源供給部１５０に加え、メモリ部１６０と、特定機能部１４０としての表示部１７０と、入力操作部１８０と、を有している。ここで、接触検知部１１０及び電源供給部１５０は、上述した第１の実施形態と同等であるのでその説明を省略する。
【００４１】
副演算回路部１２０は、所定のプログラムを実行することにより、接触検知部１１０からの接触検知信号に基づいて、主演算回路部１３０に所定の通知信号（装着通知信号）を送信するとともに、ユーザが入力操作部１８０を操作することにより発生する操作信号に基づいて、主演算回路部１３０に所定の制御信号を送信する。
【００４２】
主演算回路部１３０は、所定のプログラムを実行することにより、副演算回路部１２０からの通知信号及び制御信号に基づいて、休止状態と駆動状態間の移行を制御するとともに、入力操作部１８０における入力操作に応じた各種の処理動作や、表示部１７０における表示動作、メモリ部１６０への書込み読出し動作等を制御する。
【００４３】
メモリ部１６０は、主演算回路部１３０において実行される処理動作により生成される各種のデータや、表示部１７０に表示する各種のデータを所定の記憶領域に保存する。なお、メモリ部１６０は、その一部又は全部が、例えばメモリカード等のリムーバブル記憶媒体としての形態を有し、電子機器１００に対して着脱可能に構成されているものであってもよい。
【００４４】
表示部１７０は、図６に示すように、機器ケース１０２の外周面に、機器ケース１０２の長手方向に沿って湾曲して設けられた表示パネル１７２を有し、主演算回路部１３０からの制御により表示パネル１７２に、例えば現在時刻やユーザが所望する各種の情報を表示する。ここで、表示パネル１７２は、機器ケース１０２の形状に沿って湾曲する表示デバイスであれば、例えば液晶方式や有機ＥＬ等の発光素子方式、電子ペーパー方式等の各種の表示パネルを適用することができる。
【００４５】
入力操作部１８０は、図６に示すように、機器ケース１０２の外周面に沿って設けられたタッチパネル１８２や、機器ケース１０２の側面等から突出して設けられた押しボタン等の機構式スイッチ１８４を有している。ここで、タッチパネル１８２は、機器ケース１０２の外周面に設けられた表示パネル１７２の前面（視野側）に、表示パネル１７２と同程度の平面的な広がりを有して配置されている。入力操作部１８０は、各種の情報を設定したり、表示パネル１７２に表示された情報に基づいて所望の機能を実行させたりする操作に用いられ、ユーザによる入力操作に応じて操作信号が副演算回路部１２０に出力される。なお、図６においては、入力操作部１８０として、表示パネル１７２の前面に配置されたタッチパネル１８２と、押しボタン等の機構式スイッチ１８４との両方が設けられた構成を示したが、本発明はこれに限定されるものではなく、いずれか一方のみを有しているものであってもよいし、他の方式の入力手段を有しているものであってもよい。
【００４６】
ここで、本実施形態に適用される表示部１７０及び入力操作部１８０の基板構造について具体例を示して説明する。
図８は、本実施形態に係る電子機器に適用される基板構造の一例を示す概略図である。
【００４７】
本実施形態に適用される表示部１７０及び入力操作部１８０が搭載される内部基板は、例えば図８に示すように、帯状の長手方向を一致させて平行に配列した基板１７４ａと基板１７４ｂが、対向する特定の側面部分において連結部１７４ｃにより連結した構造を有している。これらの基板１７４ａ、１７４ｂ及び連結部１７４ｃは、フレキシブル基板により一体的に形成されている。基板１７４ａの一面側（紙面表面側）には、表示部１７０の表示パネル１７２が基板１７４ａの長手方向に沿って設けられ、その上層に入力操作部１８０のタッチパネル１８２が表示パネル１７２と同程度の平面的な広がりを有して設けられている。タッチパネル１８２は基板１７４ａの端部に配置されたコネクタ１７６を介して、基板１７４ａの他面側（紙面裏面側）に設けられた入力検知用のコントロールＩＣ１７８に電気的に接続されている。また、基板１７４ｂの一面側（紙面表面側）には、接触検知部１１０の接触検知センサ１１２が１乃至複数設けられ、配線ＬＮを介して、基板１７４ａの他面側に設けられたコントロールＩＣ１７８に電気的に接続されている。
【００４８】
このような内部基板を、図８に示すように、基板１７４ａ、１７４ｂ間を連結する連結部１７４ｃにおいて基準線ＣＬで２つ折り（図８では山折り）にし、基板１７４ａ、１７４ｂの他面側同士を対向するように配置する。そして、機器ケース１０２の湾曲形状に対応させて変形させて、機器ケース１０２内に収納することにより、機器ケース１０２の外周面に表示パネル１７２とタッチパネル１８２が配置され、内周面に１乃至複数の接触検知センサ１１２が配置された、図６に示した電子機器１００の構成が得られる。
【００４９】
このような内部基板の構造によれば、接触検知センサ１１２としてタッチパネル１８２と同様の静電容量方式や抵抗膜方式を適用することにより、基板１７４ａの一面側に設けられるタッチパネル１８２と、基板１７４ｂの一面側に設けられる接触検知センサ１１２とを同一の製造工程で製造することができるので、生産効率を向上させることができる。
【００５０】
なお、図８においては、基板１７４ａ、１７４ｂを連結部１７４ｃにおいて２つ折りにした構造を示したが、本発明はこれに限定されるものではなく、連結部１７４ｃを用いることなく、帯状の基板１７４ａに表示パネル１７２及びタッチパネル１８２を形成し、帯状の基板１７４ｂに接触検知センサ１１２形成した後、基板１７４ａ、１７４ｂを積層し、コネクタ等により電気的に接続した多層基板構造を適用するものであってもよい。また、単一の帯状のフレキシブル基板の一面側に表示パネル１７２及びタッチパネル１８２を形成し、他面側に接触検知センサ１１２を形成した両面実装構造を適用するものであってもよい。このような基板構造によれば、高密度実装により内部基板の厚みを薄くして、電子機器１００の薄型化や小型化に寄与することができる。
【００５１】
（電子機器の制御方法）
次に、本実施形態に係る電子機器の制御方法について、図面を参照して説明する。ここでも、上述した第１の実施形態と同様に、ユーザが電子機器を装着する際と、取り外した際の各制御方法について個別に説明する。
図９は、本実施形態に係る電子機器における制御方法の一例を示すフローチャートである。ここで、上述した第１の実施形態と同等の処理については、説明を簡略化する。
【００５２】
ユーザが電子機器１００を装着する際の制御方法は、図９（ａ）に示すように、まず、上述した第１の実施形態と同様に、初期状態に設定された電子機器１００が人体に非装着の状態においては、接触検知センサ１１２によるスキャン動作が継続して実行される（ステップＳ２０２）。そして、副演算回路部１２０は、接触検知センサ１１２から送信される接触検知信号に基づいて、接触検知センサ１１２が人体に接触したと判定した場合（ステップＳ２０４のＹｅｓ）には、主演算回路部１３０に対して装着通知信号を送信する。主演算回路部１３０は、副演算回路部１２０から装着通知信号を受信することにより、休止（スリープ）状態等の低消費電力状態から復起、又は、起動するための待機（スタンバイ）状態に移行する。一方、接触検知部１１０から接触検知信号が送信されない場合（ステップＳ２０４のＮｏ）には、ステップＳ２０２に戻って、接触検知センサ１１２におけるスキャン動作が継続される。
【００５３】
次いで、副演算回路部１２０は、入力操作部１８０から送信される操作信号に基づいて、ユーザにより電子機器１００を起動するための所定のスイッチ操作が実行されたか否かを判定する（ステップＳ２０６）。入力操作部１８０から操作信号が送信された場合（ステップＳ２０６のＹｅｓ）には、副演算回路部１２０は、ユーザにより所定のスイッチ操作が実行されたものと判定し、主演算回路部１３０に対して起動制御信号を送信する。一方、入力操作部１８０から操作信号が送信されない場合（ステップＳ２０６のＮｏ）には、ステップＳ２０２に戻って、接触検知センサ１１２におけるスキャン動作が継続される。
【００５４】
ここで、ユーザによる電子機器１００を起動するためのスイッチ操作としては、タッチパネル１８２により特定の領域をタッチしたり、機構式スイッチ１８４を長押ししたりする操作や、予め設定したパスワードや暗証番号を入力する操作等によるロック解除操作を適用することができる。これにより、ユーザが電子機器１００を使用する意図を持って操作した場合のみ、電子機器１００を起動制御することができ、単に人体に装着しただけの状態での起動を防止することができる。
【００５５】
次いで、主演算回路部１３０は、副演算回路部１２０から起動制御信号を受信することにより、待機（スタンバイ）状態から起動して、表示部１７０における通常の表示動作を実行する（ステップＳ２０８）。ここで、この主演算回路部１３０の起動に対応するように、電源供給部１５０から主演算回路部１３０に対して通常の駆動電力が供給される。
【００５６】
なお、本実施形態においては、接触検知センサ１１２により人体に接触した（人体に装着された）と判定された場合に、主演算回路部１３０を待機状態に移行させ、さらに、入力操作部１８０によりユーザによる所定のスイッチ操作が実行された場合に、主演算回路部１３０を起動等させる制御方法について説明したが、本発明はこれに限定されるものではない。すなわち、電子機器１００が、図示を省略した特定の機能（例えば、活動量や移動距離、心拍等の計測処理）を有している場合等には、接触検知センサ１１２により人体に接触した（人体に装着された）と判定された場合に、主演算回路部１３０を起動等して、例えば上記の特定機能の実行を開始してもよい。そして、入力操作部１８０によりユーザによる所定のスイッチ操作が実行された場合に、上記の特定機能に関わる情報等を表示部１７０に表示するようにしてもよい。これにより、ユーザが電子機器１００を装着した状態にあれば、ユーザがスイッチ操作を行うことにより特定機能に関わる情報等を迅速に提供することができる。
【００５７】
次に、ユーザが電子機器１００を取り外した際の制御方法は、図９（ｂ）に示すように、まず、上述した第１の実施形態と同様に、電子機器１００が人体に装着された状態においては、接触検知センサ１１２によるスキャン動作が継続して実行される（ステップＳ２２２）。そして、副演算回路部１２０は、接触検知部１１０から送信される接触検知信号に基づいて、接触検知センサ１１２が人体に接触した状態にあるか否かを判定する（ステップＳ２２４）。副演算回路部１２０は、接触検知部１１０から接触検知信号が一定時間以上送信されなくなった場合（ステップＳ２２４のＮｏ）には、電子機器１００が非装着状態にあるものと判定して、主演算回路部１３０に対して非装着通知信号を送信する。一方、副演算回路部１２０は、接触検知部１１０から接触検知信号が送信されている場合（ステップＳ２２４のＹｅｓ）には、電子機器１００が装着状態にあるものと判定して、ステップＳ２２２に戻って、接触検知センサ１１２におけるスキャン動作を継続する。
【００５８】
また、副演算回路部１２０は、ステップＳ２２４における人体との接触検知の判定処理に並行して、入力操作部１８０から送信される操作信号に基づいて、ユーザにより電子機器１００を使用するためのスイッチ操作が実行されているか否かを判定する（ステップＳ２２６）。副演算回路部１２０は、入力操作部１８０から操作信号が一定時間以上送信されなくなった場合（ステップＳ２２６のＮｏ）には、ユーザが電子機器１００を使用していない状態にあるものと判定して、主演算回路部１３０に対して休止制御信号を送信する。一方、副演算回路部１２０は、入力操作部１８０から操作信号が継続して送信されている場合（ステップＳ２２６のＹｅｓ）には、ユーザが電子機器１００を使用している状態にあるものと判定して、ステップＳ２２２に戻って、接触検知センサ１１２におけるスキャン動作を継続する。
【００５９】
次いで、主演算回路部１３０は、副演算回路部１２０から非装着通知信号又は休止制御信号を受信することにより、通常の駆動状態から休止（スリープ）状態等の低消費電力状態に移行する（ステップＳ２２８）。また、この主演算回路部１３０の休止状態への移行に対応するように、電源供給部１５０から主演算回路部１３０への駆動電力が最小レベルに抑制され、これにより、電子機器１００は、初期状態に示した低消費電力モードで動作することになる。
【００６０】
このように、本実施形態においては、機器ケース１０２の外周面や側面にタッチパネル１８２や機構式スイッチ１８４を備えた電子機器１００の内周面に、１乃至複数の接触検知センサ１１２を設け、接触検知センサ１１２により人体との接触状態を検知し、かつ、タッチパネル１８２や機構式スイッチ１８４によりユーザの意図的なスイッチ操作を検出した場合にのみ、電子機器１００を起動させることができる。一方、人体に対して非接触状態やユーザによる意図的なスイッチ操作がない状態では、電子機器１００を低消費電力状態で動作させることができる。具体的には、背景技術に記載したように、機器ケースの外面や側面にタッチパネルや機構式のスイッチ等が設けられた電子機器においては、図５（ａ）、（ｂ）に示したように非装着状態であっても、また、例えば図５（ｃ）に示すように装着状態であっても、周辺の物品や机等との接触や近接によりスイッチが電気的又は物理的にオン状態になり、電子機器の誤動作や誤起動を生じる場合がある。
【００６１】
これに対して、本実施形態においては、電子機器１００を人体に装着した状態に加え、ユーザにより意図的にスイッチ操作が行われた場合にのみ、電子機器１００が起動するように制御される。したがって、電子機器１００を装着していない状態や、ユーザが電子機器１００を装着しただけで特定の機能の使用の意図がない状態では、周辺の物品との接触等によりユーザの意図に反して電子機器１００が誤動作や誤起動することがなく、電力の浪費を抑制することができる。
【００６２】
なお、本実施形態においても、上述した第１の実施形態の変形例と同様に、電子機器１００の装着時に比較して非装着時における、接触検知センサ１１２の検知感度を低く設定することにより、周辺物品の影響を受けにくくなり、ユーザの意図に反する電子機器の誤動作や誤起動をより確実に防止することができる。
【００６３】
＜第３の実施形態＞
次に、本発明に係る電子機器の第３の実施形態について説明する。ここで、上述した第１及び第２の実施形態と同等の構成及び処理動作については説明を簡略化する。
【００６４】
上述した第１及び第２の実施形態においては、電子機器１００をユーザが装着した状態、又は、電子機器１００を装着した状態で、さらに、所定のスイッチ操作を行った状態を検知して、電子機器１００を起動させる場合について説明した。第３の実施形態においては、電子機器１００の動きを検出するモーションセンサを備え、電子機器１００の状態変化又は装着状態と、スイッチ操作の有無に基づいて、電子機器１００を起動させることを特徴としている。
【００６５】
（電子機器）
図１０は、本発明に係る電子機器の第３の実施形態の機能構成の一例を示す概略ブロック図である。
第３の実施形態に係る電子機器１００は、上述した第２の実施形態（図６参照）と同様に、機器ケース１０２の内周面に接触検知センサ１１２が設けられ、機器ケース１０２の外周面に表示パネル１７２やタッチパネル１８２、機構式のスイッチ１８４が設けられている。
【００６６】
本実施形態に係る電子機器１００は、例えば図１０に示すように、大別して、上述した第２の実施形態（図７参照）に示した各構成に加え、モーションセンサ１９０を有している。ここで、副演算回路部１２０、及び、主演算回路部１３０、モーションセンサ１９０以外の構成は、上述した第２の実施形態と同等であるのでその説明を省略する。
【００６７】
副演算回路部１２０は、所定のプログラムを実行することにより、モーションセンサ１９０からの状態検出信号に基づいて、電子機器１００の状態変化（静止状態か否か）を判定するとともに、その判定結果に基づいて、接触検知センサ１１２によるスキャン動作の周期を制御する。副演算回路部１２０は、電子機器１００の状態変化の判定結果、及び、接触検知部１１０からの接触検知信号に基づいて、主演算回路部１３０に所定の通知信号（装着通知信号）を送信するとともに、入力操作部１８０からの操作信号に基づいて、主演算回路部１３０に所定の制御信号を送信する。
【００６８】
主演算回路部１３０は、第２の実施形態と同様に、所定のプログラムを実行することにより、副演算回路部１２０からの通知信号及び制御信号に基づいて、主演算回路部１３０の休止状態と駆動状態間の移行を制御するとともに、入力操作部１８０における入力操作に応じた各種の処理動作や、表示部１７０における表示動作、メモリ部１６０への書込み読出し動作等を制御する。
【００６９】
モーションセンサ１９０は、加速度センサや角速度センサ（ジャイロセンサ）、地磁気センサ等のうち一つ以上を有し、少なくともユーザの動作に伴う電子機器１００の動きの状態（動きの方向や傾きの変化、動きの速度等）を検出して、副演算回路部１２０に状態検出信号を送信する。この状態検出信号は、上述した副演算回路部１２０において電子機器１００が静止状態にあるか否かを判定する際に使用される。また、モーションセンサ１９０は、上記の各種センサから出力されるセンサデータに基づいて、例えば活動量や移動距離、移動速度、心拍数、脈拍数等のユーザの運動状態を計測する際に使用されるものであってもよい。
【００７０】
（電子機器の制御方法）
次に、本実施形態に係る電子機器の制御方法について、図面を参照して説明する。ここでも、上述した第１及び第２の実施形態と同様に、ユーザが電子機器を装着する際と、取り外した際の各制御方法について個別に説明する。
図１１、図１２は、本実施形態に係る電子機器における制御方法の一例を示すフローチャートである。ここで、上述した第１又は第２の実施形態と同等の処理については、説明を簡略化する。
【００７１】
まず、本実施形態の初期状態においては、電子機器１００の電源供給部１５０から駆動電力が供給されることにより、副演算回路部１２０が起動して、接触検知部１１０において接触検知センサ１１２によるスキャン動作を開始するとともに、モーションセンサ１９０においてもスキャン動作を開始し、主演算回路部１３０が休止（スリープ）状態等の低消費電力状態で動作する。ここで、接触検知センサ１１２によるスキャン動作、及び、モーションセンサ１９０によるスキャン動作は、電子機器１００の人体への装着又は非装着の状態に関わらず、例えば１〜２秒程度の間隔で継続して実行される。
【００７２】
ユーザが電子機器１００を装着する際の制御方法は、図１１に示すように、まず、初期状態に設定された電子機器１００が人体に非装着の状態においては、接触検知センサ１１２によるスキャン動作、及び、モーションセンサ１９０によるスキャン動作が継続して実行される（ステップＳ３０２）。そして、副演算回路部１２０は、モーションセンサ１９０から送信される状態検出信号に基づいて、電子機器１００が状態変化したか、静止状態にあるかを判定する（ステップＳ３０４）。モーションセンサ１９０から状態検出信号が送信されない場合（ステップＳ３０４のＮｏ）には、副演算回路部１２０は、電子機器１００が静止状態にあるか、ユーザが電子機器１００を使用する意図を持って動かしていない状態にあるものと判定する。
【００７３】
次いで、副演算回路部１２０は接触検知部１１０から送信される接触検知信号に基づいて、接触検知センサ１１２が人体に接触したか否かを判定する（ステップＳ３０６）。接触検知部１１０から接触検知信号が送信されない場合（ステップＳ３０６のＮｏ）には、副演算回路部１２０は電子機器１００が非装着状態にあるものと判定して、接触検知部１１０における接触検知センサ１１２のスキャン動作の周期を長く設定する（スキャン間隔を延ばす）ように制御した後（ステップＳ３０８）、ステップＳ３０２に戻って、接触検知センサ１１２及びモーションセンサ１９０におけるスキャン動作を継続する。
【００７４】
一方、ステップＳ３０４において、モーションセンサ１９０から状態検出信号が送信された場合（ステップＳ３０４のＹｅｓ）には、副演算回路部１２０は、ユーザが電子機器１００を使用する意図を持って、持ち上げたり傾けたりすることにより、その状態が変化したものと判定する。また、ステップＳ３０６において、接触検知センサ１１２から接触検知信号が送信された場合（ステップＳ３０６のＹｅｓ）には、副演算回路部１２０は、電子機器１００が装着状態にあるものと判定する。副演算回路部１２０は、これらの判定をした場合には主演算回路部１３０に対して装着通知信号を送信する。そして、上述した第２の実施形態と同様に、主演算回路部１３０は、副演算回路部１２０から装着通知信号を受信することにより、休止（スリープ）状態等の低消費電力状態から復起、又は、起動するための待機（スタンバイ）状態に移行する。
【００７５】
次いで、副演算回路部１２０は、入力操作部１８０から送信される操作信号に基づいて、ユーザにより所定のスイッチ操作が実行されたか否かを判定する（ステップＳ３１０）。入力操作部１８０から操作信号が送信された場合（ステップＳ３１０のＹｅｓ）には、副演算回路部１２０は、ユーザにより所定のスイッチ操作が実行されたものと判定し、主演算回路部１３０に対して起動制御信号を送信する。一方、入力操作部１８０から操作信号が送信されない場合（ステップＳ３１０のＮｏ）には、ステップＳ３０２に戻って、接触検知センサ１１２及びモーションセンサ１９０におけるスキャン動作を継続する。
【００７６】
次いで、主演算回路部１３０は、副演算回路部１２０から起動制御信号を受信することにより、待機（スタンバイ）状態から起動して、表示部１７０における通常の表示動作や他の特定機能を実行する（ステップＳ３１２）。ここで、この主演算回路部１３０の起動に対応するように、電源供給部１５０から主演算回路部１３０に対して通常の駆動電力が供給される。
【００７７】
次に、ユーザが電子機器１００を取り外した際の制御方法は、図１２に示すように、まず、上述した第１及び第２の実施形態と同様に、電子機器１００が人体に装着された状態においては、接触検知センサ１１２及びモーションセンサ１９０によるスキャン動作が継続して実行される（ステップＳ３２２）。そして、副演算回路部１２０は、モーションセンサ１９０から送信される状態検出信号に基づいて、電子機器１００が静止状態にあるか否かを判定する（ステップＳ３２４）。副演算回路部１２０は、モーションセンサ１９０から状態検出信号が一定時間以上送信されなくなった場合（ステップＳ３２４のＮｏ）には、電子機器１００が静止状態にあるか、ユーザが電子機器１００を使用する意図を持って動かしていない状態にあるものと判定して、主演算回路部１３０に対して休止制御信号を送信する。一方、副演算回路部１２０は、モーションセンサ１９０から状態検出信号が送信されている場合（ステップＳ３２４のＹｅｓ）には、電子機器１００が静止状態にないか、ユーザが電子機器１００を使用する意図を持って動かしている状態にあるものと判定して、ステップＳ３２２に戻って、接触検知センサ１１２及びモーションセンサ１９０におけるスキャン動作を継続する。
【００７８】
また、副演算回路部１２０は、ステップＳ３２４における電子機器１００の静止状態の判定処理に並行して、接触検知部１１０から送信される接触検知信号に基づいて、接触検知センサ１１２が人体に接触した状態にあるか否かを判定する（ステップＳ３２６）。副演算回路部１２０は、接触検知部１１０から接触検知信号が一定時間以上送信されなくなった場合（ステップＳ３２６のＮｏ）には、電子機器１００が非装着状態にあるものと判定して、主演算回路部１３０に対して非装着通知信号を送信する。一方、副演算回路部１２０は、接触検知部１１０から接触検知信号が送信されている場合（ステップＳ３２６のＹｅｓ）には、電子機器１００が装着状態にあるものと判定して、ステップＳ３２２に戻って、接触検知センサ１１２及びモーションセンサ１９０におけるスキャン動作を継続する。
【００７９】
また、副演算回路部１２０は、ステップＳ３２４における電子機器１００の静止状態の判定処理、及び、ステップＳ３２６における人体との接触検知の判定処理に並行して、入力操作部１８０から送信される操作信号に基づいて、ユーザにより電子機器１００を使用するためのスイッチ操作が実行されているか否かを判定する（ステップＳ３２８）。副演算回路部１２０は、入力操作部１８０から操作信号が一定時間以上送信されなくなった場合（ステップＳ３２８のＮｏ）には、ユーザが電子機器１００を使用していない状態にあるものと判定して、主演算回路部１３０に対して休止制御信号を送信する。一方、副演算回路部１２０は、入力操作部１８０から操作信号が継続して送信されている場合（ステップＳ３２８のＹｅｓ）には、ユーザが電子機器１００を使用している状態にあるものと判定して、ステップＳ３２２に戻って、接触検知センサ１１２及びモーションセンサ１９０におけるスキャン動作を継続する。
【００８０】
次いで、主演算回路部１３０は、副演算回路部１２０から非装着通知信号又は休止制御信号を受信することにより、通常の駆動状態から休止（スリープ）状態等の低消費電力状態に移行する（ステップＳ３３０）。また、この主演算回路部１３０の休止状態への移行に対応するように、電源供給部１５０から主演算回路部１３０への駆動電力が最小レベルに抑制され、これにより、電子機器１００は、初期状態に示した低消費電力モードで動作することになる。
【００８１】
このように、本実施形態においては、モーションセンサ１９０により電子機器１００の状態変化を検知し、かつ、ユーザの意図的なスイッチ操作を検出した場合、又は、接触検知センサ１１２により人体との接触状態を検知し、かつ、ユーザの意図的なスイッチ操作を検出した場合に、電子機器１００を起動させることができる。一方、電子機器１００が静止状態にある場合や、人体に対して非接触状態にある場合には、電子機器１００を休止状態に移行させたり、接触検知センサ１１２のスキャン動作の周期を長く設定したりすることにより、電子機器１００の消費電力を削減することができる。具体的には、背景技術に記載したように、機器ケースの外面や側面にタッチパネルや機構式のスイッチ等が設けられた電子機器においては、図５（ａ）〜（ｃ）に示したように装着、非装着の状態に関わらず、周辺の物品や机等との接触や近接によりスイッチが電気的又は物理的にオン状態になり、電子機器の誤動作や誤起動を生じる場合がある。
【００８２】
これに対して、本実施形態においては、電子機器１００の状態変化が検知された場合や人体に装着されている場合には、ユーザにより意図的にスイッチ操作が行われた場合にのみ、電子機器１００が起動するように制御される。また、電子機器１００が人体に装着されず、かつ、静止状態にある場合には、人体への装着状態を検知するためのスキャン動作の周期を長くするように設定される。したがって、電子機器１００を装着していない状態や、ユーザが電子機器１００を装着しただけで特定の機能の使用の意図がない状態では、周辺の物品との接触等によりユーザの意図に反して電子機器１００が誤動作や誤起動することがなく、電力の浪費をさらに抑制することができる。
【００８３】
なお、本実施形態においても、上述した第１の実施形態の変形例と同様の技術思想に基づいて、電子機器１００の状態変化検知時に比較して静止状態における、接触検知センサ１１２の検知感度を低く設定することにより、周辺物品の影響を受けにくくなり、ユーザの意図に反する電子機器の誤動作や誤起動をより確実に防止することができる。
【００８４】
なお、上述した各実施形態においては、リストバンド型や腕時計型の電子機器（図１参照）を示して詳しく説明したが、本発明はこの形態の電子機器に限定されるものではない。例えば心拍数計測器として周知の、胸部にベルトにより装着する形態や、耳穴に挿入して装着する形態、頸部に装着する形態等を有する電子機器に良好に適用することができる。すなわち、これらの電子機器１００においても、人体に直接接触又は密着する構造を有しているので、人体への装着時に必然的に接触する位置や領域に接触検知センサを配置して、その接触検知信号を起動制御に用いることにより、電子機器１００の誤動作や誤起動の発生を防止することができる。
【００８５】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００８６】
（付記）
［１］
使用者の人体に装着される形態を有する機器ケースと、
前記機器ケースが前記人体に装着されたときに前記人体との接触を検知する少なくとも一つの接触検知センサと、
特定の機能を実行する機能を有する特定機能部と、
前記接触検知センサ及び前記特定機能部を制御する演算回路部と、
を備え、
前記演算回路部は、前記接触検知センサにより前記人体との接触が検知されず、前記機器ケースが非装着状態にあると判定したときに、前記特定機能部の前記特定の機能を実行しないように制御することを特徴とする電子機器。
【００８７】
［２］
前記演算回路部は、前記接触検知センサにより前記人体との接触が検知されて、前記機器ケースが装着状態にあると判定したときに、前記特定機能部の前記特定の機能を実行するように制御することを特徴とする［１］に記載の電子機器。
【００８８】
［３］
前記機器ケースの前記人体に接触しない側の面の一部に設けられ、前記使用者が操作する入力操作部を、さらに有し、
前記演算回路部は、前記接触検知センサにより前記人体との接触が検知されて前記機器ケースが装着状態にあると判定し、且つ、前記入力操作部に対して操作が行われたと判定されたときに、前記特定機能部の前記特定の機能を実行するように制御することを特徴とする［１］に記載の電子機器。
【００８９】
［４］
前記機器ケースの動きの状態を検出するモーションセンサを、さらに有し、
前記演算回路部は、前記接触検知センサにより前記人体との接触が検知されて前記機器ケースが装着状態にあると判定し、且つ、前記モーションセンサにより前記機器ケースに動きが生じたと判定されたときに、前記特定機能部の前記特定の機能を実行するように制御することを特徴とする［１］に記載の電子機器。
【００９０】
［５］
前記機器ケースの前記人体に接触しない側の面の一部に設けられ、前記使用者が操作する入力操作部を、さらに有し、
前記演算回路部は、前記機器ケースが前記装着状態にあると判定し、前記入力操作部に対して操作が行われたと判定され、前記モーションセンサにより前記機器ケースに動きが生じたと判定されたときに、前記特定機能部の前記特定の機能を実行するように制御することを特徴とする［４］に記載の電子機器。
【００９１】
［６］
前記演算回路部は、前記機器ケースが前記非装着状態にあると判定したときに、前記接触検知センサの検知感度を、前記接触検知センサにより前記人体との接触が検知されて前記機器ケースが装着状態にあると判定したときの前記接触検知センサの検知感度より低く設定することを特徴とする［１］乃至［５］のいずれかに記載の電子機器。
【００９２】
［７］
前記接触検知センサを複数有し、
前記演算回路部は、
前記複数の前記接触検知センサの各々を順次スキャンし、
前記機器ケースが前記非装着状態あると判定したときに、前記複数の接触検知センサをスキャンする動作の周期を、前記接触検知センサにより前記人体との接触が検知されて前記機器ケースが装着状態にあると判定したときに前記複数の接触検知センサをスキャンする動作の周期より長く設定することを特徴とする［１］乃至［６］のいずれかに記載の電子機器。
【００９３】
［８］
前記特定機能部は、前記特定の機能として、前記使用者の活動量の計測、前記使用者の移動距離の計測、前記使用者の移動速度の計測、前記使用者の心拍数の計測、前記使用者の脈拍数の計測、前記使用者に対する情報の表示、及び、外部の機器との通信、の少なくとも何れかを実行することを特徴とする［１］乃至［７］のいずれかに記載の電子機器。
【００９４】
［９］
電子機器の制御方法であって、
前記電子機器は、使用者の人体に装着される形態を有する機器ケースと、前記機器ケースが前記人体に装着されたときに前記人体との接触を検知する少なくとも一つの接触検知センサと、特定の機能を実行する機能を有する特定機能部と、を備え、
前記接触検知センサによる前記人体との接触の有無を検知し、
前記接触検知センサにより前記人体との接触が検知されないとき、前記機器ケースが非装着状態にあると判定し、
前記機器ケースが非装着状態にあると判定したとき、前記特定機能部の前記特定の機能を実行しないように制御する、
ことを特徴とする電子機器の制御方法。
【００９５】
［１０］
電子機器の制御プログラムであって、
前記電子機器は、使用者の人体に装着される形態を有する機器ケースと、前記機器ケースが前記人体に装着されたときに前記人体との接触を検知する少なくとも一つの接触検知センサと、特定の機能を実行する機能を有する特定機能部と、を備え、
前記接触検知センサにより前記人体との接触の有無を検知させ、
前記接触検知センサにより前記人体との接触が検知されないとき、前記機器ケースが非装着状態にあると判定させ、
前記機器ケースが非装着状態にあると判定されたとき、前記特定機能部の前記特定の機能を実行しないように制御させる、
ことを特徴とする電子機器の制御プログラム。
【符号の説明】
【００９６】
１００    電子機器
１０２    機器ケース
１１０    接触検知部
１１２    接触検知センサ
１２０    副演算回路部
１３０    主演算回路部
１４０    特定機能部
１５０    電源供給部
１７０    表示部
１７２    表示パネル
１８０    入力操作部
１８２    タッチパネル
１８４    機構式スイッチ
１９０    モーションセンサ
ＵＳｈ    手首
【図１】
2020003508.tif 000003
【図２】
2020003508.tif 000004
【図３】
2020003508.tif 000005
【図４】
2020003508.tif 000006
【図５】
2020003508.tif 000007
【図６】
2020003508.tif 000008
【図７】
2020003508.tif 000009
【図８】
2020003508.tif 000010
【図９】
2020003508.tif 000011
【図１０】
2020003508.tif 000012
【図１１】
2020003508.tif 000013
【図１２】
2020003508.tif 000014
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
使用者の人体に装着される形態を有する機器ケースと、
前記機器ケースに配置された心拍センサ及び又は脈拍センサと、
前記心拍センサ及び又は脈拍センサを制御する制御部と、を備え、
前記心拍センサ及び又は脈拍センサは信号検地用の部位を備え、当該部位は前記人体に装着された際に前記人体に接触し、当該部位が前記人体に接触している場合と、接触していない場合における検知信号の違いにより、前記人体への装着有無を検知する装着検知センサとして作用し、
前記制御部は、前記接触検知センサとして作用している前記心拍センサ及び又は脈拍センサにより、当該電子機器が前記人体に装着されていないと検知されている場合は、前記心拍センサ及び又は脈拍センサの感度を、当該電子機器が前記人体に装着されていると検知されている場合における感度より低く設定する
ことを特徴とする電子機器。
【請求項２】
前記制御部は、前記接触検知センサとして作用している前記心拍センサ及び又は脈拍センサにより、当該電子機器が前記人体に装着されていると検知されている場合は、前記心拍センサ及び又は脈拍センサの感度を、当該電子機器が前記人体に装着されていないと検知されている場合における感度より高く設定することを特徴とする請求項１に記載の電子機器。
【請求項３】
電子機器の制御方法であって、
前記電子機器は、使用者の人体に装着される形態を有する機器ケースと、前記機器ケースに配置された心拍センサ及び又は脈拍センサと、を備え、
前記心拍センサ及び又は脈拍センサは信号検地用の部位を備え、当該部位は前記人体に装着された際に前記人体に接触し、当該部位が前記人体に接触している場合と、接触していない場合における検知信号の違いにより、前記人体への装着有無を検知する装着検知センサとして作用し、
前記接触検知センサとして作用している前記心拍センサ及び又は脈拍センサにより、当該電子機器が前記人体に装着されていないと検知されている場合は、前記心拍センサ及び又は脈拍センサの感度を、当該電子機器が前記人体に装着されていると検知されている場合における感度より低く設定する制御ステップを含む
ことを特徴とする電子機器の制御方法。
【請求項４】
前記制御ステップは、前記接触検知センサとして作用している前記心拍センサ及び又は脈拍センサにより、当該電子機器が前記人体に装着されていると検知されている場合は、前記心拍センサ及び又は脈拍センサの感度を、当該電子機器が前記人体に装着されていないと検知されている場合における感度より高く設定することを特徴とする請求項３に記載の電子機器の制御方法。
【請求項５】
使用者の人体に装着される形態を有する機器ケースと、前記機器ケースに配置された心拍センサ及び又は脈拍センサと、を備えた電子機器の制御プログラムであって、
前記心拍センサ及び又は脈拍センサは信号検地用の部位を備え、当該部位は前記人体に装着された際に前記人体に接触し、当該部位が前記人体に接触している場合と、接触していない場合における検知信号の違いにより、前記人体への装着有無を検知する装着検知センサとして作用し、
当該制御プログラムは、前記電子機器のコンピュータを、
前記接触検知センサとして作用している前記心拍センサ及び又は脈拍センサにより、当該電子機器が前記人体に装着されていないと検知されている場合は、前記心拍センサ及び又は脈拍センサの感度を、当該電子機器が前記人体に装着されていると検知されている場合における感度より低く設定する制御手段、として機能させる
ことを特徴とする電子機器の制御プログラム。
【請求項６】
前記制御手段は、前記接触検知センサとして作用している前記心拍センサ及び又は脈拍センサにより、当該電子機器が前記人体に装着されていると検知されている場合は、前記心拍センサ及び又は脈拍センサの感度を、当該電子機器が前記人体に装着されていないと検知されている場合における感度より高く設定することを特徴とする請求項５に記載の電子機器。
【手続補正２】
【補正対象書類名】明細書
【補正対象項目名】０００８
【補正方法】変更
【補正の内容】
【０００８】
本発明に係る電子機器は、
使用者の人体に装着される形態を有する機器ケースと、
前記機器ケースに配置された心拍センサ及び又は脈拍センサと、
前記心拍センサ及び又は脈拍センサを制御する制御部と、を備え、
前記心拍センサ及び又は脈拍センサは信号検地用の部位を備え、当該部位は前記人体に装着された際に前記人体に接触し、当該部位が前記人体に接触している場合と、接触していない場合における検知信号の違いにより、前記人体への装着有無を検知する装着検知センサとして作用し、
前記制御部は、前記接触検知センサとして作用している前記心拍センサ及び又は脈拍センサにより、当該電子機器が前記人体に装着されていないと検知されている場合は、前記心拍センサ及び又は脈拍センサの感度を、当該電子機器が前記人体に装着されていると検知されている場合における感度より低く設定する
ことを特徴とする。